(57)【要約】【課題】撮像装置のレンズユニットなどの駆動により発生する振動が伝達し、マイクが揺らされることで、音質が低下してしまう。【解決手段】マイク結線部材は、マイク保持部材と第１の遮蔽部材との間の第１の押圧部が設けられ、かつ、第１の封止部材と第２の封止部材との間に第２の押圧部が設けられ、かつ、第１の押圧部と第２の押圧部の間にマイク結線材を折り曲げた結線材屈曲部を設けた。【選択図】図９
2018196072.tif 000002
【特許請求の範囲】
【請求項１】
撮像レンズを有する撮像装置本体と、
撮影時に音を収録するために配置されたマイク素子と、
マイク素子を保持するためのマイク保持部材と、
マイク素子の複数の信号を撮像装置の音声処理回路に伝送するためのマイク結線部材と、
マイク保持部材を撮像装置本体の外装部材に対して保持するための第１の遮蔽部材と、
第１の遮蔽部材とは当接せず、第１の遮蔽部材を被覆するように配置された第２の遮蔽部材と、
外装部材と第２の遮蔽部材との間に配置された第１の封止部材と、
第１の遮蔽部材に配置された第２の封止部材を有する撮像装置において、
マイク結線部材は、マイク保持部材と第１の遮蔽部材との間の第１の押圧部が設けられ、かつ、第１の封止部材と第２の封止部材との間に第２の押圧部が設けられ、かつ、第１の押圧部と第２の押圧部の間にマイク結線材を折り曲げた結線材屈曲部を設けたことを特徴とする撮像装置。
【請求項２】
マイク結線材はＦＰＣであり、結線材屈曲部は同一の信号同士が重なるように設けられたことを特徴とする請求項１に記載の撮像装置。
【請求項３】
マイク結線材には、第１の押圧部と第２の押圧部との間に厚さの変化を伴う補強部を設けたことを特徴とする請求項１又は請求項２に記載の撮像装置。
【請求項４】
撮像レンズを有する撮像装置本体と、撮影時に音を収録するために配置されたマイク素子と、前記マイク素子を保持するためのマイク保持部材と、前記マイク保持部材を前記撮像装置本体の外装部材に対して保持するための第１の遮蔽部材を有する撮像装置において、前記第１の遮蔽部材とは当接せず、前記第１の遮蔽部材を被覆するように配置された第２の遮蔽部材を有することを特徴とする撮像装置。
【請求項５】
前記第２の遮蔽部材は、前記第１の遮蔽部材と前記外装部材が固定されている第１の固定部とは異なる第２の固定部に固定されていることを特徴とする請求項４に記載の撮像装置。
【請求項６】
前記第２の遮蔽部材と前記外装部材との隙間、乃至、前記第１の遮蔽部材と前記第２の遮蔽部材との隙間に、弾性部材を配置していることを特徴とする請求項４に記載の撮像装置。
【発明の詳細な説明】
【技術分野】
【０００１】
本発明は、撮像装置のマイク部の構成に関する。
【背景技術】
【０００２】
マイクの周囲をゴムなどの弾性材料で形成したマイクホルダで覆って、電子機器内部に配置することで、雑音を低減させることが知られている。
【０００３】
従来、撮像素子から出力される画像信号・画像情報等をデータファイルとして記録するデジタルビデオカメラが広く普及している。デジタルビデオカメラ（以降、撮像装置）では、ズームレンズから取り込んだ光を撮像素子に結像させ、電気信号に変え、デジタル信号に変換したのち表示部に表示する。
【０００４】
近年、撮像装置は、静止画のみならず動画撮影機能が搭載され、さらに、動画撮影中に音声情報の記録を行い、動画再生に合わせて音声情報を再生する機能を備えているものがある。このような動画撮影機能を有する撮像装置では、静止画像、動画像および音声情報は電気信号に変換された後、所定の形態のデータとして記録媒体に記録されるようになっている。
【０００５】
このような音声情報の記録を行う撮像装置において、例えば動画記録の際に同時録音を行う場合、音声入力手段である撮像装置に内蔵したマイクが利用される。
【０００６】
撮像装置に内蔵したマイクで音声記録を行う場合、撮像装置から発生する様々な作動音が入力されてしまう弊害が生じる。撮像装置では、撮影レンズを移動させる変倍手段（ズ−ム動作）、合焦調整手段（フォ−カス動作）、ブレ補正手段等に駆動モ−タを有している。従って、駆動モ−タ自体や当該駆動モ−タの駆動力を伝える為の駆動力伝達手段（ギヤ等）から発生する駆動音、撮影レンズ保持枠が移動する際に発する摺動音等が、撮像装置内部から発生する。また、マイクに接続されるリード線やフレキシブル基板にモータから発生する振動が伝搬することによっても雑音が発生する。
【０００７】
特許文献１には、マイクゴムの開口部に、前部カバーに向かって内径が大きくなるテーパ面を設け、後方に向かって突出する有底円筒形状のマイクゴム当接部を前部カバーの内面に設け、前部カバーを本体部に取り付けると、マイクゴム当接部の底部がマイクゴムの開口部の内側に入り込み、湾曲部がテーパ面に当接して押圧することでマイクゴム当接部が開口部の内周面の全周にわたって当接し、作動音の侵入を防ぐ技術が開示されている。
【０００８】
撮像装置に内蔵したマイクで音声記録を行う場合、撮像装置から発生する様々な作動音が入力されてしまう弊害が生じる。撮像装置では、撮影レンズを移動させる変倍手段（ズ−ム動作）、合焦調整手段（フォ−カス動作）、ブレ補正手段等に駆動モ−タを有している。従って、駆動モ−タ自体や当該駆動モ−タの駆動力を伝える為の駆動力伝達手段（ギヤ等）から発生する駆動音、撮影レンズ保持枠が移動する際に発する摺動音等が、撮像装置内部から発生する。また、マイクに接続されるリード線やフレキシブル基板にモータから発生する振動が伝搬することによっても雑音が発生する。
【０００９】
特許文献２には、筐体内部で音響的に結合して発生する音響エコーを低減することができる技術が開示されている。
【先行技術文献】
【特許文献】
【００１０】
【特許文献１】特開２００７−１９４７０８号公報
【特許文献２】特開２００８−１８２２９６号公報
【発明の概要】
【発明が解決しようとする課題】
【００１１】
しかしながら、上記従来例では結線材を伝搬する振動に対しては、効果を示すことができず、マイクに振動が伝搬される。また、マイク背面に設けられた保持金具が内部伝搬する音に起因して、保持金具が振動し、コネクタ、基板に振動が伝搬される。その結果、内部伝搬音に起因する振動でマイクが揺らされることで、音質が低下してしまうという問題点があった。
【課題を解決するための手段】
【００１２】
上記の課題を解決するために、本発明に係る撮像装置は、
撮像レンズを有する撮像装置本体と、撮影時に音を収録するために配置されたマイク素子と、マイク素子を保持するためのマイク保持部材と、マイク素子の複数の信号を撮像装置の音声処理回路に伝送するためのマイク結線部材と、マイク保持部材を撮像装置本体の外装部材に対して保持するための第１の遮蔽部材と、第１の遮蔽部材とは当接せず、第１の遮蔽部材を被覆するように配置された第２の遮蔽部材と、外装部材と第２の遮蔽部材との間に配置された第１の封止部材と、第１の遮蔽部材に配置された第２の封止部材を有する撮像装置において、マイク結線部材は、マイク保持部材と第１の遮蔽部材との間の第１の押圧部が設けられ、かつ、第１の封止部材と第２の封止部材との間に第２の押圧部が設けられ、かつ、第１の押圧部と第２の押圧部の間にマイク結線材を折り曲げた結線材屈曲部を設けたことを特徴とする。
【００１３】
また、マイク結線材はＦＰＣであり、結線材屈曲部は同一の信号同士が重なるように設けられたことを特徴とする。
【００１４】
また、マイク結線材には、第１の押圧部と第２の押圧部との間に厚さの変化を伴う補強部を設けたことを特徴とする。
【００１５】
また、本発明に係る撮像装置は、
撮像レンズを有する撮像装置本体と、撮影時に音を収録するために配置されたマイク素子と、マイク素子を保持するためのマイク保持部材と、マイク保持部材を撮像装置本体の外装部材に対して保持するための第１の遮蔽部材を有する撮像装置において、第１の遮蔽部材とは当接せず、第１の遮蔽部材を被覆するように配置された第２の遮蔽部材を有することを特徴としている。
【００１６】
また、第２の遮蔽部材は、第１の遮蔽部材と外装部材が固定されている第１の固定部とは異なる第２の固定部に固定されていることを特徴としている。
【００１７】
また、第２の遮蔽部材と外装部材との隙間、乃至、第１の遮蔽部材と第２の遮蔽部材との隙間に、弾性部材を配置していることを特徴としている。
【発明の効果】
【００１８】
本発明に係る撮像装置によれば、撮像装置本体内部で発生するＦＰＣを伝搬する振動に起因する音質の劣化を低減することが可能となる。また、撮像装置本体内部で発生する内部伝搬音に起因する振動による音質の劣化を低減することが可能となる。
【図面の簡単な説明】
【００１９】
【図１】撮像装置本体の主に上面構成を表す正面右側上方から見た斜視図
【図２】撮像装置本体の主に左側面構成を表す左側上方から見た斜視図
【図３ａ】上面カバーユニットの斜視図
【図３ｂ】上面カバーユニットを底面側からみた斜視図
【図３ｃ】上面カバーユニットの一部分を分解して示した分解斜視図
【図３ｄ】上面カバーユニットの一部分を分解して底面側からみた分解斜視図
【図４ａ】マイク遮蔽部材に結線封止部材を貼付した上面斜視図
【図４ｂ】マイク遮蔽部材に結線封止部材を貼付した底面斜視図
【図５ａ】マイク被覆部材の右面斜視図
【図５ｂ】マイク被覆部材の左面斜視図
【図６ａ】上面カバーユニットに組み付けられる前の状態のマイクユニットの上面斜視図
【図６ｂ】上面カバーユニットに組み付けられた状態のマイクユニットの上面斜視図
【図６ｃ】マイク保持部材の上面斜視図
【図６ｄ】マイク保持部材の底面斜視図
【図６ｅ】マイクユニットの分解斜視図
【図７ａ】上面カバーユニットと撮像装置本体のレンズとの位置関係を示した概略図
【図７ｂ】マイク被覆部材を外した上面カバーユニットを底面側から見た底面図
【図７ｃ】上面カバーユニットの底面図
【図８ａ】上面カバーユニットを断面Ａ−Ａで切断した時の断面図
【図８ｂ】上面カバーユニットの断面図の一部を部分的に拡大した部分拡大図
【図８ｃ】上面カバーユニットを断面Ｂ−Ｂで切断した時の断面図
【図８ｄ】上面カバーユニットの断面図の一部を拡大した構成を簡略化した部分概略図
【図９】マイク被覆部材に被覆されている各部材にのみを示した斜視図
【発明を実施するための形態】
【００２０】
以下、本発明の好適な一実施形態について、撮像装置に本発明を適用し、図面を参照しながら詳細に説明する。
【００２１】
（撮像装置全体の説明）
本実施形態での説明において、図１における矢印にて示す方向を、各々±Ｘ方向・±Ｙ方向・±Ｚ方向と定める。また、本実施形態における撮像装置において、レンズ（前玉）側から見た面（図１−Ｘ方向に向かって見た時、視認できる面）を正面、正面と対向する面を背面、正面から見て右側の面を右側面、正面から見て左側の面を左側面、正面から見て上側の面を上面、正面から見て下側の面を底面、と各々称する。Ｘ方向の軸を光軸と称する。
【００２２】
図１は撮像装置本体１００の主に上面構成を表す正面右側上方から見た斜視図、図２は撮像装置本体１００の主に左側面構成を表す背面左側上方から見た斜視図である。本図を用いて外観斜視図に表される各要素の機能を説明する。
【００２３】
撮像装置本体１００は主に、レンズ２００、表示部１０１、操作リング１０３、メイン吸気口１０８ａ〜１０８ｂ、排気口１０９、マイク部１１０、ズームキー１０４から構成されている。
【００２４】
図１、図２に示す撮像装置本体１００の正面側にはレンズ２００が配置されている。
【００２５】
撮影者が光軸周りに回転操作することで、被写体に焦点を合わせるフォーカス動作が可能な操作リング１０３が配置されている。
【００２６】
撮像装置本体１００の右側面には、撮影者が撮像画像や再生画像の確認を行なう表示部１０１が配置されている。表示部１０１は撮像装置本体１００に対して回動可能に取り付けられており、撮影者が撮影状況に合わせて、表示部１０１の位置を任意に変えることができるように構成されている。
【００２７】
撮像装置本体１００の左側面には、撮影者が操作することで、任意に画角を合わせるズーム動作が可能なズームキー１０４が配置されている。
【００２８】
また、左側面前方には、メイン吸気口１０８ａ〜１０８ｂが配置され、左側面後方には、排気口１０９が配置されている。撮像装置本体１００内部で発生した熱は、メイン吸気口１０８ａ〜１０８ｂから吸引した外気を撮像装置本体１００に配置したダクト（不図視）を通過し、排気口１０９から排出されるように所定の排熱流路が構成されている。空気の吸引、排出を行なう動力源として、撮像装置本体１００内部にはファン（不図示）が配置されている。
【００２９】
撮像装置本体１００の上面には、入力された音声信号を電気信号に変換するマイク部１１０が配置されているマイク部１１０は図２に示す２点鎖線内に配置されており、上面カバーユニット１０５の一部に構成されている。マイク部１１０の構成に関しては、詳細は後述する。
【００３０】
（上面カバーユニットの構成説明）
本実施例における撮像装置本体１００の上面カバーユニット１０５およびマイク部１１０の構成について、図３、図４を用いて説明する。
【００３１】
図３（ａ）は上面カバーユニットの斜視図、図３（ｂ）は上面カバーユニットを底面側からみた斜視図、図３（ｃ）は図３（ａ）に示した上面カバーユニットの一部分を分解して示した分解斜視図、図３（ｄ）は図３（ｃ）を撮像装置本体の底面側からみた分解斜視図、図４（ａ）はマイク遮蔽部材に結線材封止部材を貼付した上面斜視図、図４（ｂ）はマイク遮蔽部材に結線材封止部材を貼付した底面斜視図である。
【００３２】
上面カバーユニット１０５は、撮像装置本体１００の外観をなす上面カバー３０１にそれぞれの部品が組み付けられて構成されている。
【００３３】
上面カバーユニット１０５に配置されたマイク部１１０は、図３（ａ）に示したマイク開口部材３０２が撮像装置本体１００の外観に露出するように構成されている。
【００３４】
マイク開口部材３０２には撮像装置本体１００内部に配置された後述するマイク素子６０１に収録音が伝搬するように、複数の挿通孔３０３が設けられている。
【００３５】
マイク部１１０の内部構成は、上面側から隙間封止部材３０７、マイクユニット３０４、マイク遮蔽部材３０５の順に構成されている。
【００３６】
上面カバー３０１には、マイクユニット３０４が設けられており、底面側からマイク遮蔽部材３０５に保持されている。
【００３７】
マイクユニット３０４の構造は後述する。
【００３８】
マイク遮蔽部材３０５は上面カバーユニット１０５の底面側からマイクユニット３０４を押圧しながら保持するように構成されている。マイク遮蔽部材３０５は上面カバー３０１に対してビス３０９で固定されている。
【００３９】
本実施例において、マイク遮蔽部材３０５は板金部材で構成しているが、マイクユニット３０４を挟持することができれば、成型部材（樹脂、金属）で構成されてもよい。
【００４０】
図３、図４に示すようにマイク遮蔽部材３０５には、結線部封止部材３０８が貼付されている。  結線部封止部材３０８はマイク遮蔽部材３０５の上面側および底面側に生じる部品間の隙間を封止するため、折り返し部４０１で折り返され、図４（ａ）、図４（ｂ）に示すマイク遮蔽部材３０５の上面側および底面側に貼付されている。
【００４１】
本実施例では一つの結線部封止部材３０８を折り曲げて貼付しているが、例えば、２枚の板状部材といった複数の部材で隙間を封止してもよい。
【００４２】
（マイク被覆部材の構成説明）
図５はマイク被覆部材３０６の斜視図を示しており、図５（ａ）はマイク被覆部材３０６の右面斜視図、図５（ｂ）はマイク被覆部材３０６の左面斜視図をそれぞれ示している。
【００４３】
図３〜図５を用いてマイク被覆部材３０６について、説明する。
【００４４】
マイク被覆部材３０６はマイク遮蔽部材３０５の底面および側面を覆うように上面側だけが開口した箱上になるように構成され、上面カバー３０１に固定されている。
【００４５】
マイク被覆部材３０６と上面カバー３０１との間には、部品間の微小隙間を埋めるため、隙間封止部材３０７が設けられている。本実施例では、隙間封止部材３０７は発泡ウレタンのような弾性材料で構成されている。部品間の微小隙間を埋めることができれば、材質はその限りではない。
【００４６】
隙間封止部材３０７は、マイク被覆部材３０６のほぼ全周に設けられた封止部材押圧面５０１で隙間封止部材３０７を押圧した状態で固定されることで密封できるように構成されている。また、封止部材押圧面５０１の一部には、結線部材導出部５０２が凹状に設けられており、図３（ｂ）に示すようにマイク被覆部材３０６内部からマイクユニット３０４の結線部を引き出すことができる。
【００４７】
マイク被覆部材３０６の左右側には、マイク被覆部材３０６と上面カバー３０１を固定する際の固定座面となる固定部５０３ａ、５０３ｂが設けられている。マイク被覆部材３０６は上面カバー３０１に対してビス３１０で固定されている。
【００４８】
結線部封止部材３０８は、前述のようにマイク遮蔽部材３０５の両面側に貼付されている。結線部封止部材３０８が両面側に貼付されていることで、マイク被覆部材３０６が固定された際に、結線部材導出部５０２とマイク遮蔽部材３０５との間、および、マイク結線部材６０３とマイク遮蔽部材３０５との間の両方の隙間を封止するように構成されている。
【００４９】
（マイクユニットの構成説明）
マイクユニット３０４の構成について、図３〜図６を用いて説明する。
【００５０】
図６（ａ）は、上面カバーユニット１０５に組み付けられる前図５（ａ）図５（ｂ）の状態のマイクユニット３０４の上面斜視図、図６（ｂ）は上面カバーユニット１０５に組み付けられた状態のマイクユニット３０４の上面斜視図、図６（ｃ）はマイク保持部材６０２の上面斜視図、図６（ｄ）はマイク保持部材６０２の底面斜視図、図６（ｅ）はマイクユニット３０４の分解斜視図である。
【００５１】
マイクユニット３０４は前述のようにマイク素子６０１、マイク保持部材６０２、マイク結線部材６０３で構成されている。
【００５２】
図６（ｅ）に示すようにマイク素子６０１は、収録した音を電気信号に変換するための部材で、ステレオ収録するため、右用マイク素子、左用マイク素子の２つがマイク結線部材６０３に半田で実装されて、配置されている。マイク素子６０１は上面カバー３０１に対して、安定的に組み付けられるようにマイク保持部材６０２に被覆されている。
【００５３】
マイク保持部材６０２は、上面カバー３０１との間に密着して組み付けられる必要があるため、ゴムなどの弾性部材で構成されている。また、封止凸部６０４が外周に設けられており、上面カバー３０１とマイク遮蔽部材３０５との間に挟持した際に、上面カバー３０１によって封止凸部６０４が押圧されることで、密封状態が保たれるように構成されている。
【００５４】
マイク保持部材６０２の底面側には、押圧凸部６０８が設けられている。押圧凸部６０８は、マイクユニット３０４が上面カバー３０１に組み付けられ、マイク遮蔽部材３０５で挟持された際に、マイク結線部材６０３をマイク遮蔽部材３０５に対して押し付けるために設けられている。
【００５５】
マイク結線部材６０３は、マイク素子６０１で電気信号に変換された音情報を、撮像装置本体１００の中央処理回路（不図示）に伝送するための経路として設けられている。
【００５６】
マイク結線部材６０３は本体側接合部６０５とマイク素子６０１との間に補強部６０６を備えている。補強部６０６は、マイクユニット３０４を組み付ける際の折り曲げ位置の目安として構成されており、組み付け時には結線折り曲げ部６０７として図６（ｂ）に示したような形態になる。このとき、結線折り曲げ部６０７には、電気信号の経路が複数配置されており、複数の電気信号の経路はそれぞれ、同一の経路と重なり合うように配置されている。結線折り曲げ部６０７に関しては、詳細は後述する。
【００５７】
これまで説明したように構成された上面カバーユニット１０５において、代表的な騒音源である撮像装置本体１００のレンズ２００からの内部伝搬音について、図７を用いて説明する。
【００５８】
図７（ａ）は上面カバーユニット１０５と撮像装置本体１００のレンズ２００との位置関係を示した概略図、図７（ｂ）はマイク被覆部材３０６を外した上面カバーユニット１０５を底面側から見た底面図、図７（ｃ）は上面カバーユニット１０５の底面図をそれぞれ示している。
【００５９】
撮像装置本体１００に内蔵されたレンズ２００は、撮影者がズーミングなどの操作を行うと、レンズ２００内部の構造体が駆動し、音を発する。撮像装置本体１００内部で発生した音は、内部伝搬音として撮像装置本体１００内の空間（レンズ２００周辺の空間）を伝搬し、マイク部１１０の内側に到達する。
【００６０】
従来の構成では、内部伝搬音はマイク遮蔽部材３０５に到達し、マイク遮蔽部材３０５が内部伝搬音によって振動させられる。その振動がマイク素子６０１が揺らしたり、マイク遮蔽部材３０５の振動から振動放射音として、マイク素子６０１に伝搬したりするため、内部伝搬音が要因となる騒音が少なからず発生する。
【００６１】
図７（ａ）に示すように、本実施例におけるマイク部１１０の内部構成では、内部伝搬音はマイク部１１０の内側で最初にマイク被覆部材３０６に到達する。マイク被覆部材３０６に到達して、マイク被覆部材３０６が振動した場合でも、さらにマイク遮蔽部材３０５があるため、マイク素子６０１を揺らすことはない。また、マイク被覆部材３０６はマイク遮蔽部材３０５の全面を覆う略箱状に構成され、隙間封止部材３０７および結線部封止部材３０８により密封状態になっているため、内部伝搬音がマイク被覆部材３０６内部に伝搬しにくい構造になっている。
【００６２】
また、図７（ｂ）に示すようにマイク遮蔽部材３０５は複数の遮蔽部材固定部７０１で上面カバー３０１に固定されている。その一方で、図７（ｃ）に示すようにマイク被覆部材３０６は複数の固定部５０３ａ、５０３ｂで固定されており、マイク遮蔽部材３０５とマイク被覆部材３０６が直接固定されない構成になっている。このように構成することで、マイク被覆部材３０６に伝搬した内部伝搬音が直接マイク遮蔽部材３０５に伝達することがなくなるため、内部伝搬音による騒音を低減することが可能となる。
【００６３】
また、代表的な振動源である撮像装置本体１００のレンズ２００の振動の伝搬について、図８、図９を用いて説明する。
【００６４】
図８（ａ）は図７（ｂ）をＡ−Ａ断面で切断した時の断面図、図８（ｂ）は図８（ａ）の一部を部分的に拡大した部分拡大図、図８（ｃ）は図７（ｂ）をＢ−Ｂ断面で切断した時の断面図、図８（ｄ）は図８（ｃ）の一部を部分的に拡大し、構成を簡略化した部分概略図、図９はマイク被覆部材に被覆されている各部材にのみを示した斜視図である。なお、図９においては上面カバー３０１、マイク開口部材３０２、隙間封止部材３０７は不図示にしている。
【００６５】
撮像装置本体１００に内蔵されたレンズ２００は、撮影者がズーミングなどの操作を行うと、レンズ２００内部の構造体が駆動し、振動を発する。撮像装置本体１００内部で発生した振動は、撮像装置本体１００内の構造体を伝搬し、マイク結線部材６０３の本体側接合部６０５に到達する。
【００６６】
本実施例におけるマイク部１１０の内部構成では、マイク結線部材６０３の本体側接合部６０５まで伝搬してきた振動は、マイクユニット３０４のマイク結線部材６０３を伝搬する。
【００６７】
しかし、マイク結線部材６０３は、図８（ｄ）、図９に示すように第１の押圧部９０１として隙間封止部材３０７と結線部封止部材３０８の間に挟持されているため、伝達する振動を減衰することができる。また、図８（ｂ）、図９に示すようにマイク結線部材６０３は、マイク素子６０１近傍では、第２の押圧部９０２としてマイク保持部材６０２の押圧凸部６０８とマイク遮蔽部材３０５の間に挟持されているため、さらに伝達する振動を減衰することができる。加えて、マイク結線部材６０３の第１の押圧部９０１と第２の押圧部９０２との中間部に補強部６０６を配置した結線折り曲げ部６０７を有している。補強部６０６で剛性を上げることで、伝達する振動を抑制するとともに、折り曲げによってさらに伝達する振動の減衰効果を高めることができる。
【００６８】
さらに、結線折り曲げ部６０７を通る電気信号の経路が、同一の経路と重なり合うように配置されているため、それぞれの経路間での電気的なノイズに対して、影響をすくなくすることができる。
【００６９】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００７０】
１００  撮像装置本体、２００  レンズ、１１０  マイク部、
１０５  上面カバーユニット、３０１  上面カバー、３０２  マイク開口部材、
３０３  挿通孔、３０４  マイクユニット、３０５  マイク遮蔽部材、
３０６  マイク被覆部材、３０７  隙間封止部材、３０８  結線部封止部材、
４０１  マイク素子、４０３  マイク結線部材、４０２  マイク保持部材、
０４  封止凸部、４０５  本体側接合部、４０６  補強部、４０７  結線折り曲げ部、
４０８  押圧凸部、５０１  封止部材押圧面、５０２  結線部材導出部、
５０３ａ，５０３ｂ  固定部、６０１  遮蔽部材固定部、６０２  被覆部材固定部
【図１】
2018196072.tif 000003
【図２】
2018196072.tif 000004
【図３ａ】
2018196072.tif 000005
【図３ｂ】
2018196072.tif 000006
【図３ｃ】
2018196072.tif 000007
【図３ｄ】
2018196072.tif 000008
【図４ａ】
2018196072.tif 000009
【図４ｂ】
2018196072.tif 000010
【図５ａ】
2018196072.tif 000011
【図５ｂ】
2018196072.tif 000012
【図６ａ】
2018196072.tif 000013
【図６ｂ】
2018196072.tif 000014
【図６ｃ】
2018196072.tif 000015
【図６ｄ】
2018196072.tif 000016
【図６ｅ】
2018196072.tif 000017
【図７ａ】
2018196072.tif 000018
【図７ｂ】
2018196072.tif 000019
【図７ｃ】
2018196072.tif 000020
【図８ａ】
2018196072.tif 000021
【図８ｂ】
2018196072.tif 000022
【図８ｃ】
2018196072.tif 000023
【図８ｄ】
2018196072.tif 000024
【図９】
2018196072.tif 000025